(57)【特許請求の範囲】
【請求項１】
前後方向に伸びる揺動支軸１０を備えた基体フレーム２に主車輪６，７が前後一直線上に配設されるとともに操縦ハンドル３１，３２が配設され、前記揺動支軸１０に揺動フレーム５０が上下揺動自在に支持されるとともに、該揺動フレーム５０における機体進行方向に対して左右方向の片側に側車７０が配設され、かつ、前記揺動フレーム５０に、散布物が貯留される貯留タンク７５と、該貯留タンク７５内の散布物を散布するための搬送風を生成する送風機６５と、該送風機６５の駆動源となる原動機６０と、が搭載保持されてなる搭載重量物部分５を有する走行式動力散布機１において、
前記揺動フレーム５０が前記搭載重量物部分５により前記側車７０を地面に押し付ける方向に荷重され、かつ、前記送風機６５の吐出口６５ｄに、伸縮及び撓曲可能で適度の弾性復元力を有するたわみ曲噴管８２を介して直噴管８４等の管状散布具８０が側方に突出した状態で連結されるとともに、前記基体フレーム２に、前記揺動フレーム５０の前記揺動支軸１０を揺動中心軸とした上下揺動に伴う前記管状散布具８０における前記直噴管８４の長手方向の移動及び傾動を阻止するように、前記直噴管８４を固定保持する管固定具９を備えた支持具９０が前記基体フレーム２側に配設されていることを特徴とする走行式動力散布機。
【請求項２】
前記管固定具９は、保持板９２と、前記支持具９０を構成する支持杆９１に回転摺動可能に外嵌されてその軸線の回りに任意角度で取付固定される傾斜角度調節保持金具９６と、前記保持板９２に取付固定されて前記直噴管８４に滑り止め手段９９を介して外嵌せしめられる輪状緊締金具９３，９３と、を備えて構成されていることを特徴とする請求項１に記載の走行式動力散布機。
【請求項３】
前記たわみ曲噴管８２が蛇腹状であることを特徴とする請求項１又は２に記載の走行式動力散布機。
【発明の詳細な説明】
【０００１】
【発明の属する技術分野】
本発明は、畦畔等を走行しながら農薬、肥料、種子等の粉粒状ないし液状の散布物の散布作業を行うようにされた走行式動力散布機に関する。
【０００２】
【従来の技術】
水田の防除、施肥等に使用される動力散布機としては、従来、背負い式のものが一般的であるが、この背負い式の動力散布機は、貯留タンク、送風機及び原動機等の機体部分だけでも相当重いのに、それに加えて前記貯留タンクに貯留された散布すべき農薬、肥料、種子等の散布物の重量も付加されるので、それを背負って足場の悪い畦畔や圃場を歩行しながら散布作業を行うことは極めて重労働となり、最近における農業従事者の高齢化等を考慮すると、貯留タンク、送風機及び原動機等を台車に搭載して走行させながら散布作業を行えるようになすことが望まれる。
【０００３】
このような要望に応えるべく、例えば、実公平４−５０９２９号公報にも見られるように、車輪を備えた基体フレーム（台車）に、散布物が貯留される貯留タンクと、該貯留タンク内の散布物を散布するための搬送風を生成する遠心式送風機と、該遠心式送風機の駆動源となる原動機としての内燃エンジンと、を搭載保持するとともに、押動ハンドルを設け、該押動ハンドルを押して畦畔等の凹凸のある細い不整地を走行させながら前記内燃エンジンにより前記送風機を駆動し、この送風機に連結された直噴管等の管状散布具を通じて散布作業を行うようにされた走行式動力散布機が提案されている。
【０００４】
【発明が解決しようとする課題】
しかしながら、前記の如き従来の走行式動力散布機にあっては、車輪を備えた基体フレームに、遠心式送風機、原動機としての内燃エンジン、貯留タンク等の重量物が背負い式の状態そのままで搭載保持されているので、その搭載重量物部分（貯留タンク、内燃エンジン、送風機等からなる部分）の全高が高くなるとともに重心位置も高くなって姿勢安定性が悪くなり、特に、凹凸のある畦畔等の細い不整地を走行させる際、機体を制御し難く、傾斜、転倒、転落等を生じやすい。
【０００５】
より詳しく述べれば、前記従来の走行式動力散布機を凹凸のある畦畔等の不整地で走行させると、前記車輪が不整地の凹凸を拾うので、前記基体フレーム及び搭載重量物部分が上下だけでなく左右にも大きく振れ、それらの重心位置が左右に大きく変動して左右のバランスをとり難くなり、前記搭載重量物部分及び基体フレームと一体のハンドルも左右に大きく揺動し、その結果、ハンドルをとられて不所望な方向に進み、畦畔から田圃の用水溝等に車輪が転落したり、機体の安定性が損なわれてその傾きを抑えきれず、甚だしい場合には転倒してしまうといった問題が生じる。
【０００６】
また、機体が左右に揺動すると、前記送風機の吐出口に連結された直噴管等の管状散布具もそれと一緒に左右に揺動する。この場合、前記管状散布具の噴口部（先端部）は、通常、機体から側方に突出するように位置せしめられているので、それが左右に振れると、水平面に対する散布物の噴射放出角度が大きく変化し、そのため、田圃の作物等に対する散布物の散布密度がばらついて、いわゆる散布むらを生じ、散布性能が低下するという問題も生じる。
【０００７】
本発明は、上記した如くの問題に鑑みてなされたもので、その目的とするところは、凹凸のある畦畔等の不整地を走行する際にも、ハンドルの左右方向の揺動を可及的に抑えて姿勢安定性及び走行安定性を向上させることができるとともに、散布むらが減少して散布性能を向上させることができ、もって、散布作業を容易かつ適正にしかも効率良く行えるようにされた走行式動力散布機を提供することにある。
【０００８】
【課題を解決するための手段】
前記の目的を達成すべく、本発明に係る走行式動力散布機は、基本的には、前後方向に伸びる揺動支軸を備えた基体フレームに主車輪が前後一直線上に配設されるとともに操縦ハンドルが配設され、前記揺動支軸に揺動フレームが上下揺動自在に支持されるとともに、該揺動フレームにおける機体進行方向に対して左右方向の片側に側車が配設され、かつ、前記揺動フレームに、散布物が貯留される貯留タンクと、該貯留タンク内の散布物を散布するための搬送風を生成する送風機と、該送風機の駆動源となる原動機と、が搭載保持されてなる搭載重量物部分を有する。
【０００９】
そして、前記揺動フレームが前記搭載重量物部分により前記側車を地面に押し付ける方向に荷重され、かつ、前記送風機の吐出口に、伸縮及び撓曲可能で適度の弾性復元力を有するたわみ曲噴管を介して直噴管等の管状散布具が側方に突出した状態で連結されるとともに、前記基体フレームに、前記揺動支軸を揺動中心軸とした上下揺動に伴う前記管状散布具における前記直噴管の長手方向の移動及び傾動を阻止するように、前記直噴管を固定保持する管固定具を備えた支持具が前記基体フレーム側に配設されていることを特徴としている。
【００１０】
本発明の好ましい態様では、前記管固定具は、保持板と、前記支持具を構成する支持杆に回転摺動可能に外嵌されてその軸線の回りに任意角度で取付固定される傾斜角度調節保持金具と、前記保持板に取付固定されて前記直噴管に滑り止め手段を介して外嵌せしめられる輪状緊締金具と、を備えて構成される。
【００１１】
このような構成とされた本発明に係る走行式動力散布機においては、操縦ハンドルや主車輪が配設された基体フレームに備えられる揺動支軸に、貯留タンク、送風機、原動機等が搭載保持されるとともに側車が配設された揺動フレームが、上下揺動自在に支持されているので、凹凸のある畦畔等の不整地走行時には、主車輪が不整地の凹凸を拾うと、基体フレームに配設された操縦ハンドルが左右に多少は振れるが、前記貯留タンク、送風機、原動機等の搭載重量物部分は前記基体フレームとは独立して上下揺動自在に、言い換えればフローティング支持されているので、主車輪の左右の振れには影響せず、したがって、前記操縦ハンドルの制御が困難な大きな振れにはつながらない。
【００１２】
逆にいえば、前記揺動フレーム側に配設された側車が不整地の凹凸を拾うと、前記搭載重量物部分が左右に振れるが、この場合、前記搭載重量物部分は側車と基体フレーム（主車輪）の両方で支持されているので、主車輪のみで支持している場合に比して、その重心位置の変動がやわらげられて安定性が増すとともに、前記搭載重量物部分の振れは操縦ハンドル側には伝わり難くなる。
【００１３】
そのため、畦畔等の不整地を走行する際にも、操縦ハンドルによる操縦操作を容易に行えて機体を制御しやすくなり、姿勢安定性及び走行安定性が増して、転倒、転落等を招き難くなり、散布作業を容易かつ適正にしかも効率良く行える。
【００１４】
そして、上記に加え、前記管状散布具の直噴管を前記支持具の管固定具によって特定の態様で固定保持するようにしているので、不整地走行時等に、前記基体フレームあるいは前記送風機を含む搭載重量物部分が上下に振れても、前記直噴管は前記基体フレーム側に固定保持されているので、前記搭載重量物部分の振れは前記たわみ曲噴管部分が伸縮及び撓曲することにより吸収され、前記直噴管の長手方向（左右方向）の位置及び傾斜角度はほとんど変化しない。
【００１５】
そのため、不整地走行時においても、管状散布具の直噴管の噴口から噴射放出される散布物の水平面に対する噴射放出角度はほとんど変化せず、その結果、田圃の作物等に対する散布物の散布密度が均一化され、散布むらが減少し、散布性能が向上する。
【００１６】
また、搭載重量物部分と直噴管との間に蛇腹状たわみ曲噴管が介装されることにより、畦畔の法面に極端な凹み等があった場合でも、重心の位置変化が緩和され、姿勢安定性及び走行安定性が増す。
さらに、比較的長めのたわみ曲噴管を用いることにより、散布物の噴射放出量の増減変化を最小限に抑えられる。
【００１７】
【発明の実施の形態】
以下に添付の図を参照して本発明の実施形態を詳細に説明する。
図１〜図３は、本発明に係る走行式動力散布機の一実施形態を示す平面図、左側面図、後面図である。
【００１８】
図示実施形態の走行式動力散布機１０は、粉粒状の散布物の散布作業に適したものの一例であり、基本的には、機体進行前後方向（水平方向）に伸びる中心軸線Ｍ−Ｍを有する揺動支軸１０を備えた基体フレーム２の前後に、畦畔上を安定走行できるように、主車輪としての空気入りタイヤからなる遊転前輪６及びゴムラグ付きの広幅の駆動後輪７が前後一直線上に配設されるとともに、その後部に、操縦ハンドルとして左右一対のハンドル３１，３２が配設され、前記揺動支軸１０には、それに緩く外嵌される管状メンバ５１を有する揺動フレーム５０が上下揺動自在に支持されるとともに、該揺動フレーム５０における機体進行方向に対して左右方向の左側、言い換えれば、前記前輪６と後輪７との間で、かつ、後方から見て前記前輪６及び後輪７より左側方に突出した位置に側車７０が配設され、かつ、前記揺動フレーム５０に、搭載重量物部分５とされる、散布物が貯留される貯留タンク７５、該貯留タンク７５内の散布物を散布するための搬送風を生成する遠心式送風機６５、該遠心式送風機６５の駆動源となる原動機としての空冷４サイクルガソリンエンジン６０（以下単にエンジン６０と略称する）等が搭載保持されている。
【００１９】
より詳細には、前記基体フレーム２に備えられる前記揺動支軸１０の前端部には、ピン１９（図４）で着脱自在に固定された取付部材１８を介してその上辺部１１ａが取付固定された、図５に後面視で示されている如くの基体側台形リング状メンバ１１と、該台形リング状メンバ１１の下辺部１１ｂに芯材（図示省略）を介して相互に平行に連結固定されて前方に突出する左右一対の前部並列メンバ１３，１３と、これら前部並列メンバ１３，１３の前端部に連結固定された左右一対の立上板１５，１５と、これら立上板１５，１５の上端部相互を連結する上面連結板１６と、が配設されており、前記左右一対の立上板１５，１５間に前記前輪６が軸架され、前記上面連結板１６に、後述する支持具９０の主要部を構成する、前記揺動支軸１０の上側において機体前後を橋架けるように伸びる概略横倒しＣ字状の支持杆９１（図２参照）の前辺部９１ａの下端が固定保持されている。
【００２０】
また、前記揺動支軸１０の後端部は、図１〜図３に加えて図４を参照すればよくわかるように、管状取付部材２５、保持部材２６、左右一対の側板２１，２２、取付保持板２３等を介して前記ハンドル３１，３２がピン２９，２９により非回転状態で連結固定されており、前記左右一対の側板２１，２２間に前記後輪７が軸架されるとともに、左右一対の支持板２４，２４を介して変速機４０が保持固定さている。
【００２１】
一方、前記揺動フレーム５０は、図１〜図４に加えて図５を参照すればよくわかるように、前記揺動支軸１０に緩く外嵌された前記管状メンバ５１に加えて、該管状メンバ５１が挿通固定せしめられる前後一対の穴５２ａ，５２ｂが形成されて下面が開口した箱型支持部材５２と、この箱型支持部材５２の左側側板部にその縦辺部５４ａが取付固定された横倒しＬ形状のＬ形保持メンバ５４と、上辺部５５ａが前記管状メンバ５１の前端部上面側に係止具５５Ａ等により取付固定され、下辺切欠対向端部５５ｂ，５５ｃが前記Ｌ形保持メンバ５４に芯材（図示省略）を介して連結固定された揺動側台形リング状メンバ５５と、前記Ｌ形保持メンバ５４の下辺部５４ｂに保持固定された所要数の送風機保持用ブラケット６６，６６，…が一体に取着された防振ゴム６７，６７，…と、前記管状メンバ５１の前部側下面に取付固定された下面及び後側面が開口した箱型カバー６９と、を備えている。
【００２２】
前記揺動側台形リング状メンバ５５の下辺切欠対向端部５５ｂの近傍の下面に側車位置替え用スリーブ１４が取り付けられ、この側車位置替え用スリーブ１４に前記側車７０の湾曲支持杆６Ａがピン１４Ａにより取り付け位置可変に保持固定されている。
【００２３】
ここでは、前記側車７０は、図３に示される如くに、鉛直線ｇ−ｇに沿うように立てられる前輪６及び後輪７に対して外側に傾くように所定角度αだけ傾斜して配置されている。このように側車７０を傾斜させておくことにより、図６に示される如くに、前記走行式動力散布機１が凹凸のある畦畔Ｊ上を走行するときには、前記側車７０が田圃の法面Ｑや畦畔Ｊの路肩部分に接地することになるので、走行安定性が向上し、前記法面Ｑの下側に前記側車７０が落ち込み難くなるとともに、前記前輪６や後輪７がその側へ引き寄せられ難くなる。
【００２４】
そして、前記揺動フレーム５０の前記箱型支持部材５２の上面側に前記エンジン６０が搭載保持され、前記Ｌ形保持メンバ５４に保持固定された所要数の前記送風機保持用ブラケット６６，６６，…と一体の前記防振ゴム６７，６７，…の外に、前記箱型カバー６９等との間にも、所要数の防振マウント部材６８，６８，…を挟んで前記遠心式送風機６５が、前記搭載重量物部分５の重心位置を低くして安定性を向上させるべく、そのファン６５ｂの回転軸６５ｃが側面から見て前記揺動支軸１０に直交するように鉛直線ｇ−ｇに沿って立てられた状態、言い換えればバーチカル形式で前記揺動支軸１０の下側に搭載保持されている。
【００２５】
前記エンジン６０は、前記遠心式送風機６５と前記後輪７の兼用駆動源とされている。すなわち、前記エンジン６０には、下方に向けて突出する散布作業用出力軸６１（図４参照）と、後方に向けて突出する走行用出力軸６２（図１、図２参照）とが設けられている。
【００２６】
前記散布作業用出力軸６１の動力は、２段Ｖベルト式巻掛伝動機構６４により前記遠心式送風機６５の回転軸６５ｃに伝達されるようになっており、該動力伝達を断接すべく前記２段Ｖベルト式巻掛伝動機構６４にはベルトテンションクラッチ６３（図１参照）が添設されている。このベルトテンションクラッチ６３は、ボーデンケーブル３７を介して前記左側のハンドル３１のグリップ部３１ａ近傍に設けられたクラッチレバー３３（図２）を握持することにより入状態となり、解放することにより切状態となされる。
【００２７】
また、前記エンジン６０の動力は、前記走行用出力軸６２からユニバーサルジョイント４１、ドライブシャフト４２、及びユニバーサルジョイント４３を介して前記ハンドル３１，３２の下側に配置された前記変速機４０に伝達され、この変速機４０からチェーン式巻掛伝動機構４５を介して前記後輪７に伝達されるようになっており、この動力伝達の断接操作は、図示されていないが、ボーデンケーブルを介して前記右側のハンドル３２のグリップ部３２ａ近傍に設けられたクラッチレバー３４（図１）を操作することによりなされる。なお、前記エンジン６０の動力伝達をユニバーサルジョイント４１，４３を介して行うようにしているのは、前記エンジン６０を含む前記揺動フレーム５０側の搭載重量物部分５が後述するように前記変速機４０や前記ハンドル３１，３２等の前記基体フレーム２側に対して揺動しても、前記エンジン６０や前記変速機４０に無理が力が加わらないようにして動力伝達を適正に行うためである。
【００２８】
一方、前記遠心式送風機６５のファンボリュートケース６５ａにおける前側上面部には、散布すべき農薬、肥料、種子等の散布物が貯留される貯留タンク７５の接続部７５ａが連結支持されており、前記貯留タンク７５内の散布物は図示しないシャッターが開かれると下方に落下せしめられて、前記遠心式送風機６５により生成される搬送風に乗って、前記ファンボリュートケース６５ａの終端（後方から見て右側）の吹出口６５ｄに連結された後述する管状散布具８０を介して外部に噴射放出されて散布される。なお、前記貯留タンク７５から前記送風機６５によって搬送される散布物の量（散布量）を調整すべく、図１を参照すればよくわかるように、前記エンジン６０の左側にはブラケット７９を介して調量切り換え目盛盤７８及び調量レバー７６が配設されており、該調量レバー７６を操作することにより、操作杆７７を介して前記貯留タンク接続部７５ａ内のシャッターの開度が切り換えられるようになっている。
【００２９】
ここでは、前記前記揺動フレーム５０に搭載保持された前記貯留タンク７５及び遠心式送風機６５は、前記揺動支軸１０（の中心軸線Ｍ−Ｍ）より若干左側に偏位して配置され、また、前記エンジン６０は、前記中心軸線Ｍより若干右側に偏位して配置されているが、前記貯留タンク７５、前記遠心式送風機６５及び前記エンジン６０等からなる前記搭載重量物部分５を備えた前記揺動フレーム５０側全体の重心位置は、前記貯留タンク７５内の散布物の残量如何にかかわらず、常時前記中心軸線Ｍ−Ｍより若干左側に偏位した位置に在するようになっており、そのため、前記前記揺動フレーム５０は、それに搭載保持された前記貯留タンク７５、前記遠心式送風機６５及び前記エンジン６０等からなる前記搭載重量物部分５により、前記側車７０を地面に押し付ける方向に荷重される。
【００３０】
しかしながら、前記貯留タンク７５が揺動支軸１０（の中心軸線Ｍ−Ｍ）より若干左側に偏位して配置されている関係上、前記貯留タンク７５内の散布物の残量如何によっては、前記搭載重量物部分５による前記側車７０を地面に押し付ける方向の荷重量、言い換えれば、前記側車７０の接地圧が異なってくる。つまり、前記貯留タンク７５内に散布物が沢山入っているときと空に近いときとでは、前記側車７０の地面への押し付け力が異なり、散布物が沢山入っているときには前記側車７０はしっかりと地面を捕捉するが、空に近いときには側車７０が地面の凹凸状況等によって浮き上がり易くなり、ハンドル操作及び機体の制御が難しくなって姿勢安定性及び走行安定性が損なわれ易くなる。
【００３１】
このような不具合が生じるのを防ぐべく、本実施形態においては、図４、図５及び図７を参照すればよくわかるように、前記基体フレーム２側と前記揺動フレーム５０側との間に、前記側車７０を地面に押し付ける方向に強制的に付勢すべく、前記揺動フレーム５０側全体を前記揺動支軸１０を揺動中心軸として後方から見て反時計回りの方向に付勢揺動させるための付勢手段として、引張コイルスプリング５６が張設されている。
【００３２】
該引張コイルスプリング５６は、その上端部５６ａが前記基体フレーム２側の前記台形リング状メンバ１１における上辺部１１ａの後方から見て右端近傍に固設された係止ブラケット５７に係止され、その下端部５６ｂが前記揺動フレーム５０側の前記遠心式送風機６５におけるファンボリュートケース６５ａの吹出口６５ｄ付近に固設されたＬ形係止部５８に係止されており、側面視（図２、図４）では鉛直線ｇ−ｇに沿うように垂直に立ち、後面視（図３、図５、図７）では内側に傾くように傾斜せしめられていて、常時前記遠心式送風機６５を含む前記搭載重量物部分５を備えた前記揺動フレーム５０側全体を後方から見て反時計回りの方向に付勢するようにされている。
【００３３】
また、前記搭載重量物部分５及び前記揺動フレーム５０は、ここでは、図６に示される如くに、鉛直線ｇに対して左側へ最大傾斜角β、例えば２０度程度まで揺動傾斜可能とされている。
【００３４】
そして、前記管状散布具８０は、前記した支持具９０（図２参照）を構成する支持杆９１とその上辺部９１ｂに取り付け固定された管固定具９により下記のように支持固定されている。
【００３５】
すなわち、前記管状散布具８０は、図３及び図６を参照すればよくかるように、前記遠心式送風機６５の前記吐出口６５ｄに連結されて、後方から見て右側方に張り出す、伸縮及び撓曲可能で適度の弾性復元力を有する蛇腹状たわみ曲噴管８２と、この蛇腹状たわみ曲噴管８２に連結されて前記搭載重量物部分５の上側において斜め左上に向けて伸びる長さが約３ｍ程度の直噴管８４と、を備えており、該直噴管８４の噴口（先端部）８４ａは、前記搭載重量物部分５より左側方に突出して配置されている。
【００３６】
また、前記基体フレーム２側に配設された前記支持具９０の管固定具９は、前記管状散布具８０の前記直噴管８４の前記揺動支軸１０を揺動中心軸とした前記揺動フレーム５０側の上下揺動に伴う長手方向の移動及び傾動を阻止すべく、前記直噴管８４を前記支持杆９１に連結固定するようになっている。より詳細には、前記管固定具９は、図８及び図９に示される如くに、矩形の保持板９２と、前記支持杆９１の上辺部９１ｂに回転摺動可能に外嵌されて前記保持板９２にその両端部がボルト９５，９５により取付固定された、Ｃ字状部９６ａと一対の取付部９６ｂ，９６ｂを有する概略Ω字状の傾斜角度調節保持金具９６と、前記保持板９２の上端部及び下端部に取付固定されて前記直噴管８４に滑り止め手段としてのリング状のクッション部材９９を介して外嵌せしめられる、ワンタッチ式の輪状緊締金具９３，９３と、を備えている。
【００３７】
前記傾斜角度調節保持金具９６は、図９を参照すればよくわかるように、そのＣ字状部９６ａの下面部に、厚み方向に取付角度調節用固定ねじ９８が螺入される雌ねじ部９７が形成されるとともに、その一側面部に前記支持杆９１の前記上辺部９１ｂの所定部位（真横）に刻設された傾斜角度基準線１００を覗き見ることができるように矩形覗き窓１０１が形成され、この矩形覗き窓１０１の一側に沿って所定間隔をあけて水平面Ｆに対する傾斜角度目盛り（例えば、５度おきに20,25,30,35,40) １０２が刻印されている。
【００３８】
また、前記輪状緊締金具９３，９３は適度の弾性を有する材料により成形され、図１０を参照すればよくわかるように、下半輪状部９３Ａと、この下半輪状部９３Ａにヒンジ部９３ａを介して回動自在に連結された上半輪状部９３Ｂと、前記下半輪状部９３Ａに一体に設けられて前記保持板９２に溶接等により固定された取付固定部９３Ｃと、を有しており、前記下半輪状部９３Ａの反ヒンジ部側には係止凸部９３ｂが設けられ、前記上半輪状部９３Ｂの反ヒンジ部側には前記係止凸部９３ｂに弾性嵌合係止される係止凹部９３ｃが設けられるとともに、この係止凹部９３ｃより先端側に外側に反り返るように開閉用ツマミ９３ｄが設けられている。
【００３９】
このような構成の前記管固定具９においては、前記取付角度調節用固定ねじ９８を緩めると、前記傾斜角度調節保持金具９６及び前記保持板９２が前記支持杆９１の上辺部９１ｂに対して回動可能となるので、前記傾斜角度調節保持金具９６を回動させて、前記傾斜角度基準線１００に任意の目盛り１０２、例えば[30]を合わせた位置にて前記取付角度調節用固定ねじ９８を締め付ければ、その傾斜角度、つまり、水平面Ｆに対して前記傾斜角度調節保持金具９６及び前記保持板９２、すなわち前記直噴管８４が３０度傾斜した角度で固定保持されることになる。
【００４０】
また、前記輪状緊締金具９３，９３の前記上半輪状部９３Ｂ，９３Ｂを開いた状態にして前記直噴管８４を前記クッション部材９９を介して前記下半輪状部９３Ａ，９３Ａ上に乗せ、しかる後、前記上半輪状部９３Ｂ，９３Ｂを閉じる方向に回転させて前記係止凸部９３ｂに前記係止凹部９３ｃを嵌合係止させることにより、前記直噴管８４が緊締固定され、その長手方向の移動及び傾動が阻止される。
【００４１】
したがって、本実施形態においては、前記管固定具９を備えた前記支持具９０により、前記直噴管８４が任意の位置及び傾斜角度をもって、その長手方向の移動及び傾動が阻止された状態で固定保持される。
【００４２】
前記の如くの構成とされた本実施形態の走行式動力散布機１においては、ハンドル３１，３２や前輪６及び後輪７が配設された基体フレーム２に備えられる揺動支軸１０に、貯留タンク７５、送風機６５、エンジン６０等が搭載保持されるとともに側車７０が配設された揺動フレーム５０が、上下揺動自在に支持されているので、凹凸のある畦畔Ｊ等の不整地走行時には、前記前輪６及び後輪７が不整地の凹凸を拾うと、前記基体フレーム２に配設されたハンドル３１，３２が左右に多少は振れるが、前記貯留タンク７５、送風機６５、エンジン６０等の搭載重量物部分５は前記基体フレーム２とは独立して上下揺動自在に、言い換えればフローティング支持されているので、前記前輪６及び後輪７の左右の振れはほとんど生じないので、前記ハンドル３１，３２の振れも生じない。
【００４３】
逆にいえば、前記揺動フレーム５０側に配設された側車７０が不整地の凹凸を拾うと、前記搭載重量物部分５が上下に振れるが、この場合、前記搭載重量物部分５は前記側車７０と前記基体フレーム２（前記前輪６及び後輪７）の両方で支持されているので、従来のもののように主車輪のみで支持している場合に比して、その重心位置の変動がやわらげられて走行安定性が増すとともに、前記搭載重量物部分５の振れはハンドル３１，３２側には伝わり難くなる。
【００４４】
そのため、畦畔Ｊ等の不整地を走行する際にも、ハンドル操作を容易に行えて機体を制御しやすくなり、姿勢安定性及び走行安定性が増して転倒、転落等を招き難くなり、散布作業を容易かつ適正に、しかも効率良く行える。
【００４５】
それに加えて、前記基体フレーム２側と前記揺動フレーム５０側との間に、前記側車７０を地面に押し付ける方向に付勢すべく、前記揺動フレーム５０側全体を前記揺動支軸１０を揺動中心軸として後方から見て反時計回りの方向に付勢する付勢手段として、引張コイルスプリング５６が張設されているので、貯留タンク７５内に散布物が沢山入っているときは勿論、空に近いときにも、前記引張コイルスプリング５６の付勢力によって、図６及び図７を参照すればよくわかるように、前記側車７０は地面（法面Ｑ）にしっかりと押し付けられる。
【００４６】
そのため、前記貯留タンク７５内の散布物の残量が少ないときにおいても、前記側車７０が浮き上がり難くなって、しっかりと地面を捕捉することになり、その結果、一層、ハンドル操作及び機体の制御が容易となって、姿勢安定性及び走行安定性が向上する。
【００４７】
そして、本実施形態形態においては、前記作用効果に加え、前記管状散布具８０の直噴管８４を前記支持具９０の管固定具９によって特定の態様で固定保持するようにしたことにより、不整地走行時等に、前記基体フレーム２あるいは前記送風機６５を含む搭載重量物部分５が上下に振れても、前記直噴管８４は前記基体フレーム２側に固定保持されているので、図６に示される如くに、前記搭載重量物部分５の振れは前記蛇腹状たわみ曲噴管８２部分が伸縮及び撓曲することにより吸収され、前記直噴管８４の長手方向（左右方向）の位置及び傾斜角度θはほとんど変化しない。
【００４８】
そのため、不整地走行時においても、管状散布具８０の直噴管８４の噴口８４ａから噴射放出される散布物の水平面に対する噴射放出角度（θ）はほとんど変化せず、その結果、田圃の作物等に対する散布物の散布密度が均一化され、散布むらが減少し、散布性能が向上する。
【００４９】
また、搭載重量物部分５と直噴管８４との間に蛇腹状たわみ曲噴管８２が介装されていることから、法面Ｑに極端な凹み等があった場合でも、重心の位置変化が緩和され、姿勢安定性及び走行安定性が増す。
さらに、比較的長めの蛇腹状たわみ曲噴管８２を用いることにより、散布物の噴射放出量の増減変化を最小限に抑えられる。
【００５０】
以上、本発明の一実施形態について詳述したが、本発明は、前記実施形態に限定されるものではなく、特許請求の範囲に記載された本発明の精神を逸脱することなく、設計において種々の変更ができるものである。
例えば、前記輪状緊締金具９３，９３自体の材質や形状を適宜選定することにより、前記クッション部材９９を不要とせしめることも可能である。
【００５１】
【発明の効果】
以上の説明から理解されるように、本発明による走行式動力散布機は、管状散布具を伸縮及び撓曲可能で適度の弾性復元力を有する蛇腹状等の形態を持つたわみ曲噴管とこのたわみ曲噴管に連結される直噴管とで構成するとともに、前記直噴管を基体フレーム側に設けられた支持具によって特定の態様で固定保持するようにしたので、不整地走行時においても、搭載重量物部分の上下揺動が前記たわみ曲噴管部分で吸収され、前記直噴管の噴口から噴射放出される散布物の水平面に対する噴射放出角度はほとんど変化せず、そのため、田圃の作物等に対する散布物の散布密度が均一化され、散布むらが減少し、散布性能が向上するという優れた効果を奏する。
【図面の簡単な説明】
【図１】本発明に係る走行式動力散布機の一実施形態を示す平面図。
【図２】図１に示される走行式動力散布機の左側面図。
【図３】図１に示される走行式動力散布機の後面図。
【図４】図１に示される走行式動力散布機における要部の部分切欠拡大左側面図。
【図５】図１に示される走行式動力散布機における要部の部分切欠拡大後面図。
【図６】図１に示される走行式動力散布機において搭載重量物部分及び揺動フレームが揺動傾斜した状態を示す後面図。
【図７】図１に示される走行式動力散布機において搭載重量物部分及び揺動フレームの揺動傾斜した状態を示す拡大後面図。
【図８】図１に示される走行式動力散布機に備えられる支持具の主要部を示す部分切欠拡大図。
【図９】図１に示される走行式動力散布機に備えられる支持具の管固定具の説明に供される部分拡大側面図。
【図１０】図１に示される走行式動力散布機に備えられる支持具の管固定具の輪状緊締金具を示す部分拡大斜視図。
【符号の説明】
１…走行式動力散布機
２…基体フレーム
５…搭載重量物部分
６…前輪（主車輪）
７…後輪（主車輪）
９…管固定具
１０…揺動支軸
３１，３２…操縦ハンドル
５０…揺動フレーム
６０…内燃エンジン（原動機）
６５…遠心式送風機
６５ｄ…吐出口
７０…側車
７５…貯留タンク
８０…管状散布具
８２…たわみ曲噴管
８４…直噴管
９０…支持具
９１…支持杆
９２…保持板
９３…輪状緊締金具
９６…傾斜角度調節保持金具
９９…クッション部材（滑り止め手段）
【図１】
0003734917.tif 000002
【図２】
0003734917.tif 000003
【図３】
0003734917.tif 000004
【図４】
0003734917.tif 000005
【図５】
0003734917.tif 000006
【図６】
0003734917.tif 000007
【図７】
0003734917.tif 000008
【図８】
0003734917.tif 000009
【図９】
0003734917.tif 000010
【図１０】
0003734917.tif 000011